【手続補正書】
【提出日】平成26年7月29日(2014.7.29)
【手続補正１】
【補正対象書類名】明細書
【補正対象項目名】００５０
【補正方法】変更
【補正の内容】
【００５０】
実施例７
この適用では、稼働中のＤＲＭ機器が側流連結を介してパルプラインまたは抄紙機に直接連結され、水性パルプスラリーの連続流を確実にする。パルプスラリーが１分間あたり５．０ガロン（ｇｐｍ）の速度でセンサー面を流れる際の付着を連続して記録した。図１４は、提案されている表面と、より低い表面エネルギーを有する表面との差を例示する。
以下に、本願発明に関連する発明の実施形態について列挙する。
［実施形態１］
製紙過程において少なくとも１つの有機物質の付着率をモニタリングする方法であって、前記少なくとも１つの有機物質が水性媒体に分散し、前記モニタリングが増加された感度を有し、
前記水性媒体から、上面および底面を有する水晶発振子微量天秤への前記少なくとも１つの有機物質の付着率を測定することを含み、
前記上面が前記水性媒体と接触し、そして被覆材料で被覆されており、前記被覆材料が１平方センチメートルあたり約３４〜約４９ダインの範囲の表面エネルギーを有し、
前記底面が前記水性媒体から隔離されている、
方法。
［実施形態２］
前記製紙過程が再生パルプ及び／または損紙を伴う、実施形態１に記載の方法。
［実施形態３］
前記有機物質が、疎水性有機物質、粘着物、粘着性物質、ホワイトピッチ、製紙過程における合成汚染物質、木材ピッチ、製紙過程における天然汚染物質、またはこれらの組み合わせである、実施形態１に記載の方法。
［実施形態４］
前記粘着物が微細粘着物である、実施形態３に記載の方法。
［実施形態５］
前記微細粘着物がおよそ０．１０〜０．１５ｍｍを超えない、実施形態４に記載の方法。
［実施形態６］
前記粘着物および粘着性物質が、接着剤、被覆結合剤、スチレンブタジエンゴム、エチレン酢酸ビニル、ポリ酢酸ビニル、ポリビニルアクリレート、ポリビニルブチラール、ポリブタジエン、ワックス、アルキド樹脂、アクリル酸ポリオール、およびサイジング薬品からなる群より選択される、実施形態３に記載の方法。
［実施形態７］
前記水晶発振子微量天秤の前記上面が、白金；チタン；銀；金；鉛；カドミウム；注入イオンを有するまたは有さないダイアモンド状薄膜電極；チタン、ニオブ、およびタンタルのケイ化物；鉛セレン合金；水銀アマルガム；ならびにシリコーンからなる群より選択される１つ以上の導電材料から作製される、実施形態１に記載の方法。
［実施形態８］
前記被覆材料が、エポキシ樹脂、シリコーンゴム、アルキドエナメル、ポリカーボネート、ポリエステル、アクリルポリマー、メラミン、ビニル樹脂、ナイロン、およびカプロンからなる群より選択される材料のうちの１つ以上から作製される、実施形態１に記載の方法。
［実施形態９］
前記モニタリングが、製紙過程における、パルプ処理、再利用、リファイナー、リパルパー、漂白チェスト、脱インク段階、水ループ、抄紙機またはティッシュマシンのヘッドボックス、およびこれらの組み合わせからなる群より選択される場所で発生する、実施形態１に記載の方法。
［実施形態１０］
前記水性媒体がパルプスラリーである、実施形態１に記載の方法。
［実施形態１１］
製紙過程において少なくとも１つの有機物質の付着率を減少させる抑制剤の効果を測定する方法であって、
ａ．少なくとも１つの有機物質をモニタリングすることであって、前記少なくとも１つの有機物質は、水性媒体に分散されており、前記モニタリングは、前記水性媒体から水晶発振子微量天秤への前記少なくとも１つの有機物質の付着率を測定することを含み、前記水晶発振子微量天秤は、上面および底面を有することと、
ｂ．抑制剤を添加することと、
ｃ．前記水性媒体から前記水晶発振子微量天秤の被覆面への前記少なくとも１つの有機物質の付着率を再測定することと、
を含み、
前記上面が、前記水性媒体と接触し、そして被覆材料で被覆されており、前記被覆材料が、非膨張性エポキシ樹脂またはシリコーン含有ポリマーを含有し、
前記底面が、前記水性媒体から隔離されており、
前記抑制剤が、前記水性媒体からの前記有機物質の付着を減少させる、
方法。
［実施形態１２］
模擬製紙過程において少なくとも１つの有機物質の付着率を減少させる抑制剤の効果を測定する方法であって、
ａ．少なくとも１つの有機物質をモニタリングすることであって、前記少なくとも１つの有機物質は、模擬製紙過程において水性媒体に分散されており、前記モニタリングは、前記水性媒体から水晶発振子微量天秤への前記少なくとも１つの有機物質の付着率を測定することを含み、前記水晶発振子微量天秤は、上面および底面を有することと、
ｂ．抑制剤を添加することと、
ｃ．前記水性媒体から前記水晶発振子微量天秤の被覆面への前記少なくとも１つの有機物質の付着率を再測定することと、
を含み、
前記上面が、前記水性媒体と接触し、そして被覆材料で被覆されており、前記被覆材料が、非膨張性エポキシ樹脂またはシリコーン含有ポリマーを含有し、
前記底面が、前記水性媒体から隔離されており、
前記抑制剤が、前記水性媒体からの前記有機物質の付着を減少させる、
方法。
【手続補正２】
【補正対象書類名】特許請求の範囲
【補正対象項目名】全文
【補正方法】変更
【補正の内容】
【特許請求の範囲】
【請求項１】
製紙過程において少なくとも１つの有機物質の付着率をモニタリングする方法であって、前記少なくとも１つの有機物質が水性媒体に分散し、前記モニタリングが増加された感度を有し、
前記水性媒体から、上面および底面を有する水晶発振子微量天秤への前記少なくとも１つの有機物質の付着率を測定することを含み、
前記上面が前記水性媒体と接触し、そして被覆材料で被覆されており、前記被覆材料が１平方センチメートルあたり約３４〜約４９ダインの範囲の表面エネルギーを有し、
前記底面が前記水性媒体から隔離されている、
方法。
【請求項２】
製紙過程において少なくとも１つの有機物質の付着率を減少させる抑制剤の効果を測定する方法であって、
ａ．少なくとも１つの有機物質をモニタリングすることであって、前記少なくとも１つの有機物質は、水性媒体に分散されており、前記モニタリングは、前記水性媒体から水晶発振子微量天秤への前記少なくとも１つの有機物質の付着率を測定することを含み、前記水晶発振子微量天秤は、上面および底面を有することと、
ｂ．抑制剤を添加することと、
ｃ．前記水性媒体から前記水晶発振子微量天秤の被覆面への前記少なくとも１つの有機物質の付着率を再測定することと、
を含み、
前記上面が、前記水性媒体と接触し、そして被覆材料で被覆されており、前記被覆材料が、非膨張性エポキシ樹脂またはシリコーン含有ポリマーを含有し、
前記底面が、前記水性媒体から隔離されており、
前記抑制剤が、前記水性媒体からの前記有機物質の付着を減少させる、
方法。
【請求項３】
模擬製紙過程において少なくとも１つの有機物質の付着率を減少させる抑制剤の効果を測定する方法であって、
ａ．少なくとも１つの有機物質をモニタリングすることであって、前記少なくとも１つの有機物質は、模擬製紙過程において水性媒体に分散されており、前記モニタリングは、前記水性媒体から水晶発振子微量天秤への前記少なくとも１つの有機物質の付着率を測定することを含み、前記水晶発振子微量天秤は、上面および底面を有することと、
ｂ．抑制剤を添加することと、
ｃ．前記水性媒体から前記水晶発振子微量天秤の被覆面への前記少なくとも１つの有機物質の付着率を再測定することと、
を含み、
前記上面が、前記水性媒体と接触し、そして被覆材料で被覆されており、前記被覆材料が、非膨張性エポキシ樹脂またはシリコーン含有ポリマーを含有し、
前記底面が、前記水性媒体から隔離されており、
前記抑制剤が、前記水性媒体からの前記有機物質の付着を減少させる、
方法。